(57)【要約】【課題】共通の記録媒体に記録されている複数の画像ファイルを意味のある画像群として取り扱うことを可能ならしめる。【解決手段】撮影モードにおいて付箋モードが設定されたときに、レリーズボタンが半押しし続けられると、この電子カメラに登録されている付箋画像を所定時間間隔毎に一つずつ表示する。そこでレリーズボタンが全押しされると、その時に表示されていた付箋画像を選択し、次の撮影により得られる撮影画像ファイルのファイル名に一対一に関連付けされるファイル名であって、その選択した付箋画像とそれに関連するヘッダ情報とからなる付箋画像ファイルを作成し、メディア２５に記録する。【選択図】図３
2004080546.tif 000002
【特許請求の範囲】
【請求項１】
撮影画像を着脱自在の記録媒体に格納する電子カメラであって、
撮影画像に対応する情報を有し、撮影画像ファイルのファイル名と一対一に関連付けされたファイル名を付与した付箋情報ファイルを撮影前に作成すると共に、上記撮影画像ファイルと上記付箋情報ファイルとを共通の記録媒体に記録する、
ことを特徴とする電子カメラ。
【請求項２】
着脱自在の記録媒体に格納された撮影画像を再生可能な電子カメラであって、
記録済み画像ファイルの再生時に、当該画像ファイルと一対一に対応する付箋情報ファイルを作成すると共に、上記付箋情報ファイルを前記記録済み画像ファイルと共通の記録媒体に追記する、
ことを特徴とする電子カメラ。
【請求項３】
上記付箋情報ファイルは、静止画情報を含む、
ことを特徴とする請求項１又は２の何れかに記載の電子カメラ。
【請求項４】
上記付箋情報ファイルは、動画情報を含む、
ことを特徴とする請求項１又は２の何れかに記載の電子カメラ。
【請求項５】
上記作成した付箋情報ファイルを随時参照可能としたことを特徴とする請求項１又は２の何れかに記載の電子カメラ。
【請求項６】
上記付箋情報ファイルを作成するための動作モードを備えたことを特徴とする請求項１又は２の何れかに記載の電子カメラ。
【請求項７】
上記付箋情報ファイルは、付帯情報として、付箋情報番号、付箋情報作成日時、当該付箋情報ファイルのファイル名、及び記録先となる記録媒体のフォーマット日時の少なくとも何れか一つを含む、
ことを特徴とする請求項１又は２の何れかに記載の電子カメラ。
【請求項８】
記録済み画像ファイルの再生時に、前記共通の記録媒体に追記された前記付箋情報ファイルに一対一に対応する画像ファイルが消去されたときは前記付箋情報ファイルのファイル名をリネームする、
ことを特徴とする請求項２記載の電子カメラ。
【請求項９】
撮影画像を着脱自在の記録媒体に格納する電子カメラにおいて、
撮影画像に対応する情報を有し、撮影画像ファイルのファイル名と一対一に関連付けされたファイル名を付与した付箋情報ファイルを撮影前に作成し、
上記撮影画像ファイルと上記付箋情報ファイルとを共通の記録媒体に記録する、
ことを特徴とする電子カメラの撮影方法。
【請求項１０】
着脱自在の記録媒体に格納された撮影画像を再生可能な電子カメラにおいて、
記録済み画像ファイルの再生時に、当該画像ファイルと一対一に対応する付箋情報ファイルを作成し、
上記付箋情報ファイルを前記記録済み画像ファイルと共通の記録媒体に追記する、
ことを特徴とする電子カメラの再生方法。
【発明の詳細な説明】
【０００１】
【発明の属する技術分野】
本発明は、電子カメラと、それに適用される撮影方法及び再生方法に関する。
【０００２】
【従来の技術】
近年、電子カメラは目覚しい普及を見せ、メモリカードをはじめとする電子カメラ用記録媒体の一枚当たりの記憶容量が増大化しつつある。
ところが、記録媒体の記憶容量が増大化するにつれ、一枚の記録媒体中に数多くの撮影シーン（画像）が含まれることになり、画像ファイルの把握や管理等がますます困難になっている。
【０００３】
一般的に、電子カメラによって記録媒体に記録された画像ファイルは、外部装置、例えばパーソナルコンピューシステムの固定式或いは取外し可能な記録媒体に転送されることが多く、その転送が完了すると、電子カメラ用記録媒体は、全消去やフォーマット操作によって初期化され、撮影画像を記録する記録媒体として再利用される。
【０００４】
一方、電子カメラから、例えばパーソナルコンピュータシステムに転送された画像ファイルは、その後の画像処理を考慮して、意味のある画像ファイル群として取り扱えるようになっていることが望ましい。そのため、例えば、サムネイル画像の一覧表示ができ、画像ファイルの名称変更等の作業を容易に行うことができる、等といった画像処理に適した応用ソフトウェアが必要とされている。そのような画像処理用ソフトウェアは、有償配布されているものから無償配布されているものまで数多くのものが知られているが、その使い勝手や機能、価格等の面で種々の課題が残されている。
【０００５】
【発明が解決しようとする課題】
しかしながら、上述したような画像処理用ソフトウェアが利用できないコンピュータシステム環境についても考慮が為されて然るべきであるが、電子カメラの撮影時点において対応できることは、画像ファイルを格納するフォルダを適宜作成することや、撮影日時をファイル名として付与すること、等といった程度のことしか為されておらず、上述の課題に対する本質的な解決策は未だ提案されていない。
【０００６】
本発明は斯かる技術課題に鑑みて為されたものであって、共通の記録媒体に記録されている複数の画像ファイルを意味のある画像群として取り扱うことを撮影の前又は後に可能ならしめる方法及びその方法が適用可能な電子カメラを提供することを目的とする。
【０００７】
【課題を解決するための手段】
本発明の第一の態様は、撮影画像を着脱自在の記録媒体に格納する電子カメラであって、撮影画像に対応する情報を有し、撮影画像ファイルのファイル名と一対一に関連付けされたファイル名を付与した付箋情報ファイルを撮影前に作成すると共に、上記撮影画像ファイルと上記付箋情報ファイルとを共通の記録媒体に記録する、電子カメラである。
【０００８】
上記の構成によれば、撮影時において、所定の撮影画像ファイルと、そのファイルのファイル名と一対一に関連付けされたファイル名が付与された付箋情報ファイルとが、共通の記録媒体に記録されるようになる。これにより、複数の撮影画像ファイルを意味のある画像群として取り扱うことが可能になる。例えば、撮影中において、ユーザが撮影対象や撮影場所等を変更する際に、これまでに撮影した画像とこれから撮影される画像とを区別できるように区切りを設けておきたい場合等に、付箋情報ファイルを作成・記録させておけば、後に、その区別が容易になる。
【０００９】
本発明の第二の態様は、着脱自在の記録媒体に格納された撮影画像を再生可能な電子カメラであって、記録済み画像ファイルの再生時に、当該画像ファイルと一対一に対応する付箋情報ファイルを作成すると共に、上記付箋情報ファイルを前記記録済み画像ファイルと共通の記録媒体に追記する、電子カメラである。
【００１０】
上記の構成によれば、再生時において、既に記録済みの画像ファイルに一対一に対応する付箋情報ファイルが、その画像ファイルが記録されている記録媒体に追記（記録）されるようになる。これにより、複数の画像ファイルを意味のある画像群として取り扱うことが可能になる。例えば、再生中において、既に撮影された（記録済みの）所定の撮影画像群と他の撮影画像群とを区別できるように区切りを設けておきたい場合等に、付箋画像ファイルを作成・記録させておけば、後に、その区別が容易になる。
【００１１】
本発明の第三の態様は、前記第一又は第二の態様の何れかにおいて、上記付箋情報ファイルは、静止画情報を含む、構成である。
この構成によれば、静止画を含むファイルを付箋画像ファイルとすることができる。
【００１２】
本発明の第四の態様は、前記第一又は第二の態様の何れかにおいて、上記付箋情報ファイルは、動画情報を含む、構成である。
この構成によれば、動画を含むファイルを付箋画像ファイルとすることができる。
【００１３】
本発明の第五の態様は、前記第一又は第二の態様の何れかにおいて、上記作成した付箋情報ファイルを随時参照可能とした、構成である。
この構成によれば、必要に応じて付箋情報ファイルを参照することができる。
本発明の第六の態様は、前記第一又は第二の態様の何れかにおいて、上記付箋情報ファイルを作成するための動作モードを備えた、構成である。
【００１４】
この構成によれば、その動作モードが設定されているときに付箋情報ファイルの作成が可能になる。
本発明の第七の態様は、前記第一又は第二の態様の何れかにおいて、上記付箋情報ファイルには、付帯情報として、付箋情報番号、付箋情報作成日時、当該付箋情報ファイルのファイル名、及び記録先となる記録媒体のフォーマット日時の少なくとも何れか一つを含む、構成である。
【００１５】
この構成によれば、付箋情報ファイルの付帯情報に基づいて、後に、当該付箋情報ファイルに係る、付帯情報の番号、付帯情報の作成日時、当該付箋情報ファイルのファイル名、及び記録先となる記録媒体のフォーマット日時の少なくとも何れか一つを抽出すること等が可能になる。
【００１６】
本発明の第八の態様は、前記第二の態様において、記録済み画像ファイルの再生時に、前記共通の記録媒体に追記された前記付箋情報ファイルに一対一に対応する画像ファイルが消去されたときは前記付箋情報ファイルのファイル名をリネームする、構成である。
【００１７】
この構成によれば、付箋情報ファイルに一対一に対応付けされている画像ファイルが消去されたときには、付箋情報ファイルのファイル名が、例えば他の記録済み画像ファイルのファイル名にリネームされ、付箋情報ファイルと画像ファイルとの対応付けが損なわれるのを防止することができる。
【００１８】
本発明の第九の態様は、撮影画像を着脱自在の記録媒体に格納する電子カメラにおいて、撮影画像に対応する情報を有し、撮影画像ファイルのファイル名と一対一に関連付けされたファイル名を付与した付箋情報ファイルを撮影前に作成し、上記撮影画像ファイルと上記付箋情報ファイルとを共通の記録媒体に記録する、電子カメラの撮影方法である。
【００１９】
上記の方法によれば、前述の第一の態様において述べた作用・効果と同一の作用・効果を得ることができる。
本発明の第十の態様は、着脱自在の記録媒体に格納された撮影画像を再生可能な電子カメラにおいて、記録済み画像ファイルの再生時に、当該画像ファイルと一対一に対応する付箋情報ファイルを作成し、上記付箋情報ファイルを前記記録済み画像ファイルと共通の記録媒体に追記する、電子カメラの再生方法である。
【００２０】
上記の方法によれば、前述の第二の態様において述べた作用・効果と同一の作用・効果を得ることができる。
【００２１】
【発明の実施の形態】
以下、本発明の実施の形態を図面を参照しながら説明する。
図１（ａ）　は、本発明の一実施の形態に係る電子カメラの外観図であり、カメラ背面の概略構成を示している。また、同図（ｂ）　は、この電子カメラに登録されている付箋画像の一例を示した図であり、同図（ｃ）　は、この電子カメラのＬＣＤに表示される表示画面の一例を示した図である。
【００２２】
同図（ａ）　において、この電子カメラのカメラ上面には、レリーズボタン１等が設けられている。レリーズボタン１は、ＡＦ・ＡＥ等の撮影準備指示及び撮影指示、或いは付箋画像の表示指示及び選択指示を行うためのものである。
本実施形態においては、後述する付箋作成モードが設定指示されているときにレリーズボタン１が半押しし続けられるとＬＣＤ５に所定時間間隔毎に付箋画像を表示させる指示が行われ、そこでレリーズボタン１が全押しされるとその時にＬＣＤ５に表示されている付箋画像の選択指示が行われる。
【００２３】
例えば、この電子カメラに、付箋画像として同図（ｂ）　に示した付箋画像１乃至４が登録されている場合に、付箋作成モードが設定され、レリーズボタン１が半押しし続けられると、同図（ｃ）　に示したように付箋画像１乃至４が順番に所定時間間隔毎にＬＣＤ５に表示される。ここで、更にレリーズボタン１が全押しされることによって、その時にＬＣＤ５に表示されていた付箋画像が選択されるようになる。
【００２４】
付箋作成モードとは、撮影により記録された複数の撮影画像を意味のある画像群として取り扱えるようにすることを可能にさせるモードであって、撮影画像の管理に好適なモードである。この付箋作成モードが設定されているときに所定の付箋画像が選択されることによって、その付箋画像のファイルとして、これから撮影される画像のファイル名に一対一に関連付けされるファイル名を付与した付箋画像ファイル（付箋情報ファイルの一例）を作成し、その付箋画像ファイルと前述のこれから撮影される画像のファイルとを共通のメディア（記録媒体）に記録する、等といった処理が行われる。或いは、その付箋画像のファイルとして、既に撮影された画像のファイル名に一対一に関連付けされたファイル名を付与した付箋画像ファイルを作成し、その付箋画像ファイルを前述の既に撮影された画像のファイルが記録されているメディアに記録する、等といった処理が行われる。
【００２５】
例えば、ユーザが、撮影時（撮影モード時）において撮影対象や撮影場所を変更する際などにこれまでに撮影した撮影画像とこれから撮影する撮影画像とを区別できるように区切りを設けておきたい場合や、再生時（再生モード時）において既に撮影された所定の撮影画像群と他の撮影画像群とを区別できるように区切りを設けておきたい場合等に、付箋作成モードを設定して所定の付箋画像を選択することによって、後にその付箋画像のファイルのファイル名を確認するだけで複数の撮影画像の中から関連する撮影画像群を容易に判別すること等が可能になるものである。
【００２６】
一方、付箋作成モードが設定指示されていないときには、通常通り、レリーズボタン１が半押しされると撮影準備指示が行われ、それが全押しされると撮影指示が行われる。
尚、本実施形態に係る電子カメラにおいては、撮影した順番に従って、例えば”Ｐ０００１．ｊｐｇ”、”Ｐ０００２．ｊｐｇ”、”Ｐ０００３．ｊｐｇ”・・・等といった具合に連続する番号を用いたファイル名が撮影画像ファイルに付与されるものとする。
【００２７】
また、カメラ背面には、撮影モードダイヤル２、十字キー３、再生ボタン４、ＬＣＤ（　Ｌｉｑｕｉｄ　Ｃｒｙｓｔａｌ　Ｄｅｖｉｃｅ　：液晶表示部）５等が設けられている。
撮影モードダイヤル２は、オートモード、プログラムモード、及び前述の付箋作成モード等の各種のモードの設定指示を行うためのものである。撮影モードダイヤル２上には、オートモードを示す目印２ａ（Ａｕｔｏ）、プログラムモードを示す目印２ｂ（Ｐ）、付箋作成モードを示す目印２ｃ等が記されており、このダイヤルが回動され所定の目印が指標６に合わせられることによって、その指標６に合わせられた目印が示すモードの設定指示が行われる。
【００２８】
十字キー３は、ＬＣＤ５に表示された画像や各種メニュー中の項目等の選択指示を行うためのものである。
再生ボタン４は、この電子カメラに装着されているメディアに記録された画像の再生を可能にする再生モードの設定指示を行うためのものである。
【００２９】
ＬＣＤ５は、撮影画像、付箋画像、及び各種メニュー項目等が表示される表示部である。同図（ａ）　の例では、付箋画像３が表示されている。
続いて、この電子カメラのシステム構成について図２を用いて説明する。
同図において、撮影レンズ部１１は、ズームレンズ、絞り部、フォーカスレンズ等を含んで構成され、被写体像を撮像素子１２上に結像させる。
【００３０】
撮像素子１２は、例えばＣＣＤ（Ｃｈａｒｇｅ　Ｃｏｕｐｌｅｄ　Ｄｅｖｉｃｅ　）であり、撮影レンズ部１１の作用により撮像素子１２上に結像している被写体像を光電変換して画像を表現している電気信号を出力する。
撮像回路１３は、ノイズ成分を低減させるＣＤＳ（Ｃｏｒｒｅｌａｔｅｄ　Ｄｏｕｂｌｅ　Ｓａｍｐｌｉｎｇ）や信号レベルを安定化させるＡＧＣ（Ａｕｔｏｍａｔｉｃ　Ｇａｉｎ　Ｃｏｎｔｒｏｌ）等を備え、撮像素子１２から出力されたアナログ電気信号のノイズ成分を低減させると共に、信号レベルを安定化させて出力する。
【００３１】
Ａ／Ｄ部１４は、撮像回路１３からの出力であるアナログ電気信号をデジタル電気信号に変換して出力する。
また、そのＡ／Ｄ部１４、ＳＤＲＡＭ１５、ＲＯＭ１６、ＡＳＩＣ１７、システムコントローラ１８、ドライブコントローラ１９、Ｉ／Ｆ２０、２１、ビデオエンコーダ２２は、何れもバスライン２３に接続されており、相互にデータの授受が可能なように構成されている。
【００３２】
ＳＤＲＡＭ（　Ｓｙｎｃｈｒｏｎｏｕｓ　Ｄｙｎａｍｉｃ　Ｒａｎｄｏｍ　Ａｃｃｅｓｓ　Ｍｅｍｏｒｙ　）１５は、Ａ／Ｄ部１４から出力される画像データ（デジタル電気信号）やＡＳＩＣ１７による各種画像処理における処理中の画像データ等の一時保存用として、或いはシステムコントローラ１８による制御処理の実行のためのワークエリア等として使用されるメモリである。
【００３３】
ＲＯＭ１６は、システムコントローラ１８のＣＰＵにより実行されるカメラプログラム（付箋情報処理プログラムを含む）や付箋画像データ（静止画情報）等が予め格納されているメモリである。
ＡＳＩＣ（　Ａｐｐｌｉｃａｔｉｏｎ　Ｓｐｅｃｉｆｉｃ　Ｉｎｔｅｇｒａｔｅｄ　Ｃｉｒｃｕｉｔ　）１７は、システムコントローラ１８の制御の基に、画像データの記録・再生のためのＪＰＥＧ（Ｊｏｉｎｔ　Ｐｈｏｔｏｇｒａｐｈｉｃ　Ｅｘｐｅｒｔｓ　Ｇｒｏｕｐ）方式による画像データの圧縮・伸張処理や、ガンマ補正、ホワイトバランス補正、及びリサイズ処理等といった各種の画像処理や、ＲＯＭ１６に格納されている所定の付箋画像データにヘッダ情報（付帯情報）を付加して付箋画像ファイルを作成する付箋画像ファイル作成処理等を行う。
【００３４】
システムコントローラ１８は、ＣＰＵ等を備え、そのＣＰＵがＲＯＭ１６に予め格納されているカメラプログラムを読み出し実行することによって、この電子カメラの全体の動作を制御する。
ドライブコントローラ１９は、ディスクドライブ２４（例えばカードスロット等）を制御することによって、ディスクドライブ２４に装着されたメディア２５とバスライン２３を接続し、バスライン２３に接続されている構成要素（例えばＡＳＩＣ１７等）とメディア２５との間でのデータの授受を可能にさせる。
【００３５】
メディア２５は、撮像素子１２等を介して得られた画像データ（静止画像データ又は動画像データ）であってＡＳＩＣ１７により圧縮された画像データ等が記録される着脱可能な記録媒体であって、例えば、メモリカードや、光磁気ディスク（ＭＯ）や、超小型のカード型ハードディスク等である。
【００３６】
Ｉ／Ｆ２０は、ＵＳＢ（　Ｕｎｉｖｅｒｓａｌ　Ｓｅｒｉａｌ　Ｂｕｓ　）規格に則したインターフェイスであって、ＵＳＢ端子２６に接続されたＰＣ（パーソナルコンピュータ）等の外部機器とバスライン２３を接続し、バスライン２３に接続されている構成要素とＵＳＢ端子に接続されている外部機器との間でのデータの授受を可能にさせる。これにより、例えば、メディア２５に記録された画像データを、ＵＳＢ端子２６に接続されたＰＣへ出力すること等が可能になる。
【００３７】
Ｉ／Ｆ２１は、ビデオ入力端子２７に接続された外部機器とバスライン２３を接続するためのインターフェイスであって、ビデオ入力端子２７に接続された外部機器から出力されたビデオ信号を、バスライン２３に接続されている構成要素にて処理可能なデータに変換してバスライン２３に接続されている構成要素へ出力することを可能にさせる。
【００３８】
ビデオエンコーダ２２は、メディア２５に記録された画像データであってＡＳＩＣ１７により伸長された画像データ等をビデオ信号に変換し、ビデオ出力端子２８に接続されているテレビジョン等の外部表示部へ出力する。或いは、ビデオエンコーダ２２は、そのＡＳＩＣ１７により伸長された画像データ等をＬＣＤドライバ２９へ出力する。
【００３９】
ＬＣＤドライバ２９は、ビデオエンコーダ２２から出力された画像データを基にＬＣＤ５を駆動し、ＬＣＤ５に画像データに基づく画像を表示させる。
レンズ駆動制御回路３０はシステムコントローラ１８の制御の基にレンズ駆動部３１を制御し、レンズ駆動部３１はレンズ駆動制御回路３０の制御の基に撮影レンズ部１１のフォーカスレンズやズームレンズを移動させる。
【００４０】
ストロボ発光部３２は、システムコントローラ１８の制御の基にストロボを発光する。
電源部３３は、システムコントローラ１８の制御の基に、外部電源入力端子３４から入力される外部電源（ＡＣ電源）の電力を、この電子カメラの各部へ供給する。
【００４１】
操作部３５は、ユーザからの各種指示を受け付け、受け付けた指示をシステムコントローラへ通知する。この操作部３５には、前述のレリーズボタン１、撮影モードダイヤル２、十字キー３、再生ボタン４等が含まれる。
続いて、この電子カメラの制御処理について説明する。尚、この制御処理は、システムコントローラ１８のＣＰＵがＲＯＭ１６に格納されているカメラプログラムを読み出し実行することによって行われる。
【００４２】
図３は、撮影モード中に実行される付箋情報処理の一例を示すフローチャートである。尚、本処理は、動作モードが撮影モードから他のモード（例えば再生モード）へ切り替えられるまで繰り返し行われる処理である。
同図において、まず、Ｓ３０１では、撮影モードダイヤル２の回動位置に応じて、付箋作成モードが設定指示されているか否かが判定され、その判定結果がＹｅｓの場合には付箋画像ファイル作成処理が開始されるＳ３０２へ処理が進み、Ｎｏの場合（例えばオートモード又はプログラムモード等の場合）には通常の撮影処理が開始されるＳ３１２へ処理が進む。
【００４３】
Ｓ３０２では、レリーズボタン１が半押しされているか否かが判定され、その判定結果がＹｅｓの場合にはＳ３０３へ処理が進み、Ｎｏの場合には本ステップを繰り返す。
Ｓ３０３では、ｎの値が１に設定される（ｎ＝１）。
【００４４】
Ｓ３０４では、ＲＯＭ１６に格納されている付箋番号ｎの付箋画像（付箋画像データ）が読み出されＬＣＤ５へ表示される。尚、本フローにおいては、付箋番号１からｍまでのｍ個の付箋画像がＲＯＭ１６に格納されているものとする。
Ｓ３０５では、タイマーカウントがスタートする。
【００４５】
Ｓ３０６では、タイマーカウントの値が所定値よりも大きいか否かが判定され、その判定結果がＹｅｓの場合にはＳ３０７へ処理が進み、Ｎｏの場合にはＳ３０９へ処理が進む。尚、この所定値は、各付箋画像を順に表示させるときの表示時間間隔を示すものである。
【００４６】
Ｓ３０７では、ｎの値がインクリメントされる（ｎ＝ｎ＋１）。
Ｓ３０８では、ｎの値がｍの値よりも大きいか（ｎ＞ｍ）否かが判定され、その判定結果がＹｅｓの場合にはＳ３０３へ処理が戻り、Ｎｏの場合にはＳ３０４へ処理が戻る。このような判定処理により、ｎの値がＲＯＭ１６に格納されている付箋画像の総数ｍを上回ったときには、再び付箋番号１の付箋画像から表示されるようになる。
【００４７】
Ｓ３０９では、レリーズボタン１が全押しされているか否かが判定され、その判定結果がＹｅｓの場合にはＳ３１１へ処理が進み、Ｎｏの場合には、Ｓ３１０へ処理が進む。
Ｓ３１０では、レリーズボタン１が半押しされているか否かが判定され、その判定結果がＹｅｓの場合にはＳ３０６へ処理が戻り、Ｎｏの場合にはＳ３０２へ処理が戻る。このような判定処理により、レリーズボタン１が半押しし続けられているときは、前述の所定値が示す所定時間間隔毎に各付箋画像が順にＬＣＤ５に表示されるようになる。
【００４８】
Ｓ３１１では、付箋画像ファイルの作成が行われる。すなわち、ファイル名が、これから実際に撮影される（次に撮影される）画像のファイル名に一対一に関連付けされるファイル名であって、前述のＳ３０９にてレリーズボタン１が全押しされたときにＬＣＤ５に表示されていた付箋画像の付箋画像データ（但し圧縮処理後のもの）と、その付箋画像の付箋番号ｎ、付箋画像ファイルの作成日時、記録先となるメディア（この電子カメラに装着されているメディア）のフォーマット日時、及び前述の付箋画像ファイルのファイル名等のヘッダ情報とからなる付箋画像ファイルが作成され、メディア２５に記録される。
【００４９】
例えば、最後に撮影された画像のファイル名が”Ｐ０１０５．ｊｐｇ”であったときには、次に撮影される画像のファイル名が”Ｐ０１０６．ｊｐｇ”になるので、付箋画像ファイルのファイル名が”Ｆ０１０６．ｊｐｇ”になることになる。或いは、まだ撮影された画像がない場合（メディアに何れの撮影画像も記録されていない場合）には、次に撮影される画像のファイル名が”Ｐ０００１．ｊｐｇ”になるので、付箋画像ファイルのファイル名は”Ｆ０００１．ｊｐｇ”になることになる。
【００５０】
尚、本実施形態において、ファイル名の先頭文字が”Ｐ”のものは撮影画像ファイルを示し、それが”Ｆ”のものは付箋画像ファイルを示すものとする。
また、前述のＳ３１１において、ヘッダ情報には、前述の付箋番号ｎ、付箋画像ファイルの作成日時、記録先となるメディアのフォーマット日時、及び付箋画像ファイルのファイル名等の少なくとも何れか一つ或いは複数のものが含まれるように構成しても良い。
【００５１】
一方、通常撮影処理が開始されるＳ３１２では、レリーズボタン１が半押しされているか否かが判定され、その判定結果がＹｅｓの場合にはＳ３１３へ処理が進み、Ｎｏの場合には本処理を繰り返す。
Ｓ３１３では、ＡＥ（　Ａｕｔｏｍａｔｉｃ　Ｅｘｐｏｓｕｒｅ　：自動露出調節）処理、及びＡＦ（　Ａｕｔｏｍａｔｉｃ　Ｆｏｃｕｓ　：自動焦点調節）処理が行われ、被写体に応じた撮影条件（シャッタースピードや露出値など）等が設定される。
【００５２】
Ｓ３１４では、レリーズボタン１が全押しされているか否かが判定され、その判定結果がＹｅｓの場合にはＳ３１５へ処理が進み、Ｎｏの場合には本処理を繰り返す。
Ｓ３１５では、Ｓ３１３の処理にて設定されている撮影条件に基づいて実際に被写体に対する撮影処理が行われ、被写体に応じた画像データが取得される。
【００５３】
Ｓ３１６では、撮影画像ファイルが作成される。すなわち、ファイル名が、前回に撮影された画像のファイル名に続く番号を付したファイル名であって、前ステップで取得された画像データと、撮影日時、及び撮影時の撮影条件（シャッタースピード、露出値等）等のヘッダ情報とからなる撮影画像ファイルが作成され、メディア２５に記録される。
【００５４】
このようにして、Ｓ３１１の付箋画像ファイル作成処理、或いはＳ３１６の撮影画像ファイル作成処理が終了すると、本フローが終了する。
以上、本フローに示した処理をシステムコントローラ１８のＣＰＵが実行することによって、付箋作成モードにて所定の付箋画像が選択されて付箋画像ファイルが作成・記録された後に、付箋作成モード以外のモード（オートモードやプログラムモード等）が設定されて撮影が行われると、付箋画像ファイルのファイル名と撮影画像ファイルのファイル名とが一対一に関連付けされて、共通の記録媒体であるメディア２５に記録されるようになる。これにより、ユーザは、撮影中において、例えば撮影対象や撮影場所を変更する等の際に、付箋作成モードを設定指示して所定の付箋画像を選択しておくことで、それまでに撮影した撮影画像とこれから撮影する撮影画像とを区別するのに有効なファイル名の付箋画像ファイルを記録させておくことが可能になる。
【００５５】
続いて、図４は、再生モード中に実行される付箋情報処理の一例を示すフローチャートである。尚、本処理は、再生ボタン４が押下されて再生モードが設定指示されることによって開始される処理であって、動作モードが再生モードから他のモード（例えば撮影モード）に切り替えられるまで、繰り返し行われる処理である。
【００５６】
同図において、まず、Ｓ４０１では、対象画像の選択が行われる。具体的には、十字キー３の操作に応じてＬＣＤ５に表示された、メディア２５に記録されている所定の撮影画像が選択される。
Ｓ４０２では、撮影モードダイヤル２の回動位置に応じて、付箋作成モードが設定指示されているか否かが判定され、その判定結果がＹｅｓの場合には付箋画像ファイル作成処理が開始されるＳ４０３へ処理が進み、Ｎｏの場合には通常の再生処理が行われるＳ４１３へ処理が進む。
【００５７】
続くＳ４０３乃至Ｓ４１１では、前述の図３に示したＳ３０２乃至Ｓ３１０と同様の処理が行われる。
Ｓ４１２では、付箋画像ファイルの作成が行われる。すなわち、ファイル名が、前述のＳ４０１にて選択された対象画像のファイル名に一対一に関連付けされたファイル名であって、Ｓ４１０にてレリーズボタン１が全押しされたときにＬＣＤ５に表示されていた付箋画像の付箋画像データ（但し圧縮処理後のもの）と、その付箋画像の付箋番号ｎ、付箋画像ファイルの作成日時、記録先となるメディア（この電子カメラに装着されているメディア）のフォーマット日時、及び前述の付箋画像ファイルのファイル名等のヘッダ情報とからなる付箋画像ファイルが作成され、メディア２５に記録される。
【００５８】
例えば、選択された対象画像のファイル名が”Ｐ０１０５．ｊｐｇ”であるときには、付箋画像ファイルのファイル名が”Ｆ０１０５．ｊｐｇ”になることになる。
一方、通常の再生処理が開始されるＳ４１３では、前述のＳ４０１にて選択された対象画像の再生処理が行われる。
【００５９】
このようにして、Ｓ４１２の付箋画像ファイル作成処理、或いはＳ４１３の通常の再生処理が終了すると、本フローが終了する。
以上、本フローに示した処理をシステムコントローラ１８のＣＰＵが実行することによって、対象画像の選択及び付箋作成モードの設定が為されて付箋画像が選択されると、その付箋画像のファイルのファイル名が、対象画像のファイルのファイル名に一対一に関連付けされて、共通の記録媒体であるメディア２５に記録されるようになる。これにより、ユーザは、メディア２５に記録されている画像の再生中において、例えば撮影対象や撮影場所等が異なる撮影画像群の切れ目となる撮影画像ような、関連する撮影画像群の切れ目となる撮影画像を選択し、付箋作成モードを設定指示して所定の付箋画像を選択することによって、関連する所定の撮影画像群と他の撮影画像群とを区別するのに有効なファイル名の付箋画像ファイルを記録させておくことが可能になる。
【００６０】
尚、本フローのＳ４１３の処理において、対象画像が、既に作成された付箋画像ファイルに基づく付箋画像であるときには、その付箋画像を再生するように構成しても良い。
また、本フローにおいては示していないが、再生モード中において、ＬＣＤ５に表示（再生）された画像の消去指示が行われたときには、その指示対象になった画像（画像ファイル）がメディア２５から消去される消去処理が行われる。但し、消去された画像ファイルが、例えば、付箋画像ファイルのファイル名に一対一に関連付けされたファイル名の撮影画像ファイルであったときには、その付箋画像ファイルと撮影画像ファイルの関連付けが損なわれることになるので、そのような場合には、付箋画像ファイルのファイル名を、メディア２５に記録されている撮影画像ファイルの中で、消去された撮影画像ファイルの次に記録された撮影画像ファイルのファイル名にリネームさせるように処理する。すなわち、消去された撮影画像ファイルのファイル名に付与された番号以降のものであってその番号に一番近い番号のファイル名が付与されている撮影画像ファイルのファイル名にリネームさせるように処理する。これにより、消去前の関係を維持しながら、付箋画像ファイルと撮影画像ファイルとの対応付けを適正に保つことが可能になる。
【００６１】
例えば、メディア２５に、付箋画像ファイル”Ｆ０１０５．ｊｐｇ”と撮影画像ファイル”Ｐ０１０５．ｊｐｇ”及び”Ｐ０１０６．ｊｐｇ”等が記録されていたときに、撮影画像ファイル”Ｐ０１０５．ｊｐｇ”が消去されたときには、付箋画像ファイル”Ｆ０１０５．ｊｐｇ”のファイル名が”Ｆ０１０６．ｊｐｇ”にリネームされ、付箋画像ファイル”Ｆ０１０６．ｊｐｇ”は、撮影画像ファイル”Ｐ０１０６．ｊｐｇ”に関連付けされるようになる。
【００６２】
続いて、前述の図３及び図４に示したフローにより作成される付箋画像ファイルのファイル構造と、メディア２５に記録された付箋画像ファイルと撮影画像ファイルについて図５（ａ），（ｂ）　を用いて説明する。
同図（ａ）　は、前述のＳ３１１或いはＳ４１２の処理により作成された付箋画像ファイル（ここでは、”Ｆ０１０５．ｊｐｇ”とする）のファイル構造を示した図である。
【００６３】
同図（ａ）　に示したように、付箋画像ファイルは、撮影画像ファイルと同様に、例えばＥｘｉｆ（　Ｅｘｃｈａｎｇｅａｂｌｅ　ｉｍａｇｅ　ｆｉｌｅ　ｆｏｒｍａｔ）等の画像ファイルフォーマットに準じ、画像データ部とヘッダ部とから構成されている。画像データ部には、付箋画像を表現する付箋画像データが含まれ、ヘッダ部には、付箋画像の付箋番号、付箋画像ファイルの作成日時（付箋作成日時）、付箋画像ファイルが記録されたメディア２５のフォーマット日時、付箋画像ファイルのファイル名、及びその他の事項、等に関する情報が含まれる。
【００６４】
同図の例は、ヘッダ部に、付箋番号が”２”、付箋画像ファイルの作成日時が”０２／０２／０２／０９５０”、メディアのフォーマット日時が”０２／０１／０１／１２０５”、ファイル名が”Ｆ０１０５”であることを示す情報等が含まれた例である。
【００６５】
尚、撮影画像ファイルのヘッダ部に対しても、メディアのフォーマット日時を含めるようにしても良い。このようにすることで、後に、複数のファイルの中から、フォーマット日時の同一のファイル、すなわち同一メディアに記録されていた撮影画像ファイルと付箋画像ファイルの判別等が可能になる。
【００６６】
また、撮影モードにおいて、付箋画像ファイルが作成・記録された後から次の付箋画像ファイルが作成・記録される前までの撮影により得られた撮影画像ファイルに対して、その撮影画像ファイルのヘッダ部に、その記録された付箋画像ファイルのヘッダ部に含まれている付箋作成日時を含めるようにしても良い。このようにすることで、後に、付箋作成日時が同一の撮影画像ファイルは、その付箋画像ファイル下のファイルであることを判別すること等が可能になる。
【００６７】
続いて、同図（ｂ）　は、メディア２５に記録された付箋画像ファイルと撮影画像ファイルの一覧を、ファイル名に付与されている番号順に並べて示した図である。
同図（ｂ）　において、付箋画像である”Ｆ０００１．ｊｐｇ”又は”Ｆ０１０５．ｊｐｇ”は、撮影モード時において、撮影画像である”Ｐ０００１．ｊｐｇ”又は”Ｐ０１０５．ｊｐｇ”が得られる前（撮影される前）に、ユーザにより付箋作成モードが設定され所定の付箋画像が選択されたときに記録されたものである。
【００６８】
例えば、付箋画像である”Ｆ０１０５．ｊｐｇ”は、ユーザが、撮影対象や撮影場所を変更する等の際に、これまでに撮影した撮影画像である”Ｐ０１０４．ｊｐｇ”以前の画像と、これから撮影する撮影画像である”Ｐ０１０５．ｊｐｇ”以降の画像とを区別できるように区切りを設けておきたい場合等に、作成・記録されたものである。これにより、ユーザは、後に”Ｆ０１０５．ｊｐｇ”のファイル名を確認するだけで、撮影対象等が変更される前の撮影画像（”Ｐ０１０４．ｊｐｇ”以前の画像）と、撮影対象等が変更された後の撮影画像（”Ｐ０１０５．ｊｐｇ”以降の画像）とを容易に区別することができる。
【００６９】
或いは、付箋画像である”Ｆ０００１．ｊｐｇ”又は”Ｆ０１０５．ｊｐｇ”は、再生モード時において、”Ｐ０００１．ｊｐｇ”又は”Ｐ０１０５．ｊｐｇ”が再生された時に、ユーザにより付箋作成モードが設定され所定の付箋画像が選択されたときに記録されたものである。
【００７０】
例えば、付箋画像である”Ｆ０１０５．ｊｐｇ”は、ユーザが、既に撮影された所定の撮影画像群である”Ｐ０００１．ｊｐｇ”乃至”Ｐ０１０４．ｊｐｇ”と他の撮影画像群である”Ｐ０１０５．ｊｐｇ”以降の画像群とを区別できるように区切りを設けておきたい場合等に、作成・記録されたものである。これにより、ユーザは、後に”Ｆ０１０５．ｊｐｇ”のファイル名を確認するだけで、所定の撮影画像群である”Ｐ０００１．ｊｐｇ”乃至”Ｐ０１０４．ｊｐｇ”と他の撮影画像群である”Ｐ０１０５．ｊｐｇ”以降の画像群とを容易に区別することができる。
【００７１】
尚、本実施形態において、同図（ｂ）　に示した”Ｆ０００１．ｊｐｇ”、すなわち先頭となる付箋画像ファイルについては、メディア２５のフォーマット時に自動的に作成されるように構成しても良い。
次に、前述の図５（ｂ）　に示した、メディア２５に記録された付箋画像ファイルと撮影画像ファイルが、外部装置（例えばパーソナルコンピュータシステム等）へ転送され、そこで、転送された画像ファイルの一覧表示が行われたときの表示画面の一例について説明する。但し、その外部装置は、画像ファイルを、名前順（ファイル名順）、サイズ順（容量順）、撮影日付順等に並べて一覧表示させる機能を備えているものとする。
【００７２】
図６（ａ），（ｂ），（ｃ）　は、そのような表示画面の一例を示した図である。
同図（ａ）　は、転送された画像ファイルが名前順に一覧表示されたときの表示画面の一例である。同図（ａ）　の例では、名前順に、始めに付箋画像ファイルが示され、続いて撮影画像ファイルが示されている。これにより、ユーザは、付箋画像ファイルのファイル名を確認することによって、転送された画像ファイルの中から、関連する撮影画像ファイルを抽出すること等が可能になる。例えば、付箋画像ファイルのファイル名”Ｆ０００１．ｊｐｇ”と”Ｆ０１０５．ｊｐｇ”を確認することによって、”Ｐ０００１．ｊｐｇ”乃至”Ｆ０１０４．ｊｐｇ”までのファイルが関連する撮影画像ファイル（例えば撮影対象や撮影場所などが同一）であることを判別することができ、その関連する撮影画像ファイル群を容易に抽出すること等が可能になる。
【００７３】
また、同図（ｂ）　は、転送された画像ファイルがサイズ順に一覧表示されたときの表示画面の一例である。同図（ｂ）　の例では、サイズ順に、始めに撮影画像ファイルが示され、続いて付箋画像ファイルが示されている。このような場合においても、ユーザは、付箋画像ファイルのファイル名を確認することによって、転送された画像ファイルの中から、関連する撮影画像ファイルを抽出すること等が可能になる。尚、同図（ｂ）　の例は、サイズ順に一覧表示させた結果、撮影画像ファイル及び付箋画像ファイル共に名前順にファイル名が並べられて表示された例である。
【００７４】
また、同図（ｃ）　は、転送された画像ファイルが撮影日付順に一覧表示されたときの表示画面の一例である。尚、付箋画像ファイルについては、付箋作成日時が撮影日付として取り扱われる。同図（ｃ）　の例では、撮影日付順に、始めに付箋画像ファイルである”Ｆ００１．ｊｐｇ”が示され、続いて撮影画像ファイルが示され、最後に付箋画像ファイルである”Ｆ０１０５．ｊｐｇ”が示されている。このような場合においても、ユーザは、付箋画像ファイルのファイル名を確認することによって、転送された画像ファイルの中から、関連する撮影画像ファイルを抽出すること等が可能になる。
【００７５】
以上、同図（ａ），（ｂ），（ｃ）　に示したように、転送された画像ファイルがどのように並べられて一覧表示されたとしても、ユーザが付箋画像ファイルのファイル名を確認することによって、関連する撮影画像ファイル群を容易に判別することができ、また、それを特別な画像処理用のソフトウェア等を用いずに容易に行うことができる。よって、関連する撮影画像ファイル群を容易に抽出すること等が可能になる。
【００７６】
また、転送された画像ファイルが、別々のフォルダ（或いはディレクトリー）に格納された場合であっても、転送された画像ファイルのヘッダ情報に含まれるフォーマット日時を参照することによって、同一メディアに記録されていた画像ファイルを容易に抽出すること等が可能になる。
【００７７】
以上、本実施形態によれば、撮影モード時或いは再生モード時において、ユーザが区切りを設けておきたいところで付箋作成モードを設定して所定の付箋画像を選択することによって、その区切りとなる所定の撮影画像ファイルのファイル名に一対一に関連付けされたファイル名を付与した付箋画像ファイルをメディア２５に記録させることができる。また、後に、メディア２５に記録された画像ファイルがパーソナルコンピュータシステム等の外部装置に転送され、そこで画像ファイルの一覧表示が行われたときに、ユーザは、付箋画像ファイルのファイル名を確認するだけで、関連する撮影画像群を容易に判別することができ、その関連する撮影画像群を容易に抽出すること等が可能になる。よって、撮影画像の管理が容易になる。
【００７８】
尚、本実施形態において、付箋画像の代わりに、付箋文字或いは付箋動画像を用いるようにしても良い。この場合、ＲＯＭ１６には付箋画像データの代わりに付箋文字データ或いは付箋動画像データ（動画情報）が記憶され、前述の付箋画像ファイルと同様に、付箋文字ファイル（付箋情報ファイルの一例）或いは付箋動画像ファイル（付箋情報ファイルの一例）の作成等の処理が行われる。
【００７９】
図７（ａ）　は、付箋文字ファイルがメディア２５に記録された例、同図（ｂ）　は、付箋動画像ファイルがメディア２５に記録された例を示した図である。
同図（ａ）　において、”Ｆ０００１．ｔｘｔ”及び”Ｆ０１０５．ｔｘｔ”は、付箋文字ファイル（テキスト形式の文字ファイル）を示している。また、同図（ｂ）　において、”Ｆ０００１．ｍｏｖ”及び”Ｆ０１０５．ｍｏｖ”は、付箋動画像ファイル（動画形式の動画像ファイル）を示している。この付箋文字ファイル或いは付箋動画像ファイルも、付箋画像ファイル等と同様にＥｘｉｆ等の画像ファイルフォーマットに準じ、そのヘッダ部には、付箋画像ファイルと同様に、付箋番号、付箋作成日時、フォーマット日時、及びファイル名、等に関する情報が含まれる。
【００８０】
このように、付箋画像ファイルの代わりに、付箋文字ファイル或いは付箋動画像ファイルを用いることも可能である。
また、同図（ｃ）　は、同図（ａ）　に示した、メディア２５に記録された付箋文字ファイルと撮影画像ファイルが外部装置に転送され、そこで、転送された画像ファイルが種類順に一覧表示されたときの表示画面の一例である。
【００８１】
同図（ｃ）　の例では、ファイルの種類順に、始めに付箋文字ファイルが示され、続いて付箋画像ファイルが示されている。このような場合においても、図６（ａ），（ｂ），（ｃ）　と同様に、ユーザは、付箋文字ファイルのファイル名を確認することによって、転送された画像ファイルの中から、関連する撮影画像ファイルを抽出すること等が可能になる。
【００８２】
以上、本発明の電子カメラ、その撮影方法、及びその再生方法について詳細に説明したが、本発明は上記実施形態に限定されず、本発明の要旨を逸脱しない範囲において、各種の改良及び変更を行っても良いのはもちろんである。
【００８３】
【発明の効果】
以上、詳細に説明したように、本発明によれば、共通の記録媒体に記録されている複数の画像ファイルを意味のある画像群として取り扱うことを可能にすることができる。
【図面の簡単な説明】
【図１】（ａ）　は本発明の一実施の形態に係る電子カメラの外観図、（ｂ）　は電子カメラに登録されている付箋画像の一例を示した図、（ｃ）　は電子カメラのＬＣＤに表示される表示画面の一例を示した図である。
【図２】電子カメラのシステム構成を示した図である。
【図３】撮影モード中に実行される付箋情報処理の一例を示すフローチャートである。
【図４】再生モード中に実行される付箋情報処理の一例を示すフローチャートである。
【図５】（ａ）は付箋画像ファイルのファイル構造を示した図、（ｂ）　はメディアに記録された付箋画像ファイル及び撮影画像ファイルを示した図である。
【図６】（ａ），（ｂ），（ｃ）　は、転送された画像ファイルの一覧表示が行われたときの表示画面の一例を示した図である。
【図７】（ａ）　は付箋文字ファイルがメディアに記録された例を示した図、（ｂ）　は付箋動画像ファイルがメディアに記録された例を示した図、（ｃ）　は（ａ）　に示した付箋文字ファイルと撮影画像ファイルが外部装置に転送され、そこで、転送された画像ファイルが種類順に一覧表示されたときの表示画面の一例を示した図である。
【符号の説明】
１　　　レリーズボタン
２　　　撮影モードダイヤル
２ａ、２ｂ、２ｃ　　目印
３　　　十字キー
４　　　再生ボタン
５　　　ＬＣＤ
６　　　指標
１１　　撮影レンズ部
１２　　撮像素子
１３　　撮像回路
１４　　Ａ／Ｄ部
１５　　ＳＤＲＡＭ
１６　　ＲＯＭ
１７　　ＡＳＩＣ
１８　　システムコントローラ
１９　　ドライブコントローラ
２０、２１　　Ｉ／Ｆ
２２　　ビデオエンコーダ
２３　　バスライン
２４　　ディスクドライブ
２５　　メディア
２６　　ＵＳＢ端子
２７　　ビデオ入力端子
２８　　ビデオ出力端子
２９　　ＬＣＤドライバ
３０　　レンズ駆動制御回路
３１　　レンズ駆動部
３２　　ストロボ発行部
３３　　電源部
３４　　外部電源入力端子
３５　　操作部
【図１】
2004080546.tif 000003
【図２】
2004080546.tif 000004
【図３】
2004080546.tif 000005
【図４】
2004080546.tif 000006
【図５】
2004080546.tif 000007
【図６】
2004080546.tif 000008
【図７】
2004080546.tif 000009